(57)【特許請求の範囲】
【請求項１】
フォトカプラの発光ダイオードを接続した１次側入力回路と、前記フォトカプラのフォトトランジスタを接続した２次側出力回路とを有する電流検出回路において、前記１次側回路の発光ダイオードと並列に、ある定格電流値で前記フォトカプラの動作電流の温度特性の勾配と逆の勾配の電流温度特性を持つ定電流素子または定電流回路を前記定格電流値で動作するように接続したことを特徴とするフォトカプラを用いた電流検出回路。
【請求項２】
前記定電流素子または定電流回路として、定電流ダイオードを用いたことを特徴とする請求項１記載のフォトカプラを用いた電流検出回路。
【請求項３】
前記フォトカプラの動作電流に対して、温度補償の大小に応じて、複数の定電流ダイオードを並列接続したことを特徴とする請求項２記載のフォトカプラを用いた電流検出回路。
【発明の詳細な説明】
【技術分野】
【０００１】
本発明は、フォトカプラを用いた電流検出回路に関し、特にその温度補償回路に関するものである。
【背景技術】
【０００２】
１次側回路と２次側回路を絶縁したい装置、例えば地絡検出器等に用いられる電流検出回路として、フォトカプラを用いた電流検出回路がある。
【０００３】
このフォトカプラを用いた電流検出回路の基本構成は、図５に示すように、１次側回路にフォトカプラ１の発光ダイオード１ａを接続し、２次側回路にフォトカプラ１のフォトトランジスタ１ｂを接続したものであり、１次側回路には発光ダイオード１ａの動作値調整可変抵抗２と、逆流阻止ダイオードＤ１，Ｄ２が接続されている。この電流検出回路では、入力電流Ｉinがフォトカプラ１の発光ダイオード１ａに流れ、入力電流Ｉinがある設定値（閾値）を超えると発光ダイオード１ａから光が放射され、それをフォトトランジスタ１ｂが受光してフォトトランジスタ１ｂのコレクタ・エミッタ間に出力電流Ｉoutが流れる。出力電流Ｉoutは、ある範囲では入力電流Ｉinに比例する。
【０００４】
ところで、図５に示すような基本構成のみの電流検出回路では、図６に示すように、フォトカプラの負の温度特性により、温度に対し負の勾配をもった動作特性（出力側に規定の信号が得られたときの入力電流値の特性）となり、温度の極値、例えば−２０℃においては変化が大きくなりすぎる。
具体的には、図６のグラフにおいて、＋２０℃の時の動作電流の電流値１．０４ｍＡに対し、−２０℃のときは１．１９ｍＡまで、１４％以上変化している。
【０００５】
このように、フォトカプラ１をそのまま用いた電流検出回路では、フォトカプラ１が温度変化に対し負の勾配、すなわち温度が上昇するとフォトカプラ回路の動作電流が減少し、温度が下降すれば逆に動作電流が増加する動作特性を有する。そのため、使用温度範囲が広い場合、その上限または下限の温度に近づくにつれ検出電流値の変化が著しくなり、精度が求められる用途では使用に適さない。
【０００６】
従来においては、周囲温度の高さまたは低さに対応できる、温度による出力変動の少ない高価なフォトカプラを使用するか、周囲温度によるフォトカプラの出力変化を補正するための複雑な回路が必要であった。
【０００７】
例えば、特許文献１においては、出力電圧の変動に応じたフィードバック信号を、受光素子と発光素子とを組み合わせたフォトカプラにより伝送して、前記出力電圧の安定化を図る電源装置のフィードバック回路において、前記フォトカプラの発光素子から受光素子への変換効率の、温度による変化を補償する温度補償素子（サーミスタ）を備えた電源装置のフィードバック回路が記載されている。
【先行技術文献】
【特許文献】
【０００８】
【特許文献１】特開２００３−２８９６６８号公報
【発明の概要】
【発明が解決しようとする課題】
【０００９】
前掲の特許文献１において記載された回路においては、温度補償素子であるサーミスタをフォトカプラの発光ダイオード側あるいはフォトトランジスタ側の抵抗器に並列に接続して、温度補償を行うようにしている。
【００１０】
しかしながら、サーミスタを温度補償素子として用いると、サーミスタの抵抗値変化により間接的に電流値の補償をすることとなり、サーミスタに印加する電圧を定電圧化する必要があるため回路構成が複雑化し、回路設計も難しいという問題があった。
【００１１】
そこで本発明は、回路構成が簡単で、広範囲に渡って温度特性を精度よく補償することのできるフォトカプラを用いた電流検出回路を提供することを目的とする。
【課題を解決するための手段】
【００１２】
前記課題を解決するため、本発明は、フォトカプラの発光ダイオードを接続した１次側入力回路と、前記フォトカプラのフォトトランジスタを接続した２次側出力回路とを有する電流検出回路において、前記１次側回路の発光ダイオードと並列に、ある定格電流値で前記フォトカプラの動作電流の温度特性の勾配と逆の勾配の電流温度特性を持つ定電流素子または定電流回路を前記定格電流値で動作するように接続したことを特徴とするフォトカプラを用いた電流検出回路である。
本発明においては、フォトカプラによる電流検出回路の、フォトカプラ１次側の発光ダイオードと並列に、フォトカプラの温度特性の勾配と逆の温度勾配をもつ定電流素子または定電流回路を設け、温度特性勾配を相殺する。
前記定電流素子または定電流回路として、定電流ダイオードを用いることができる。定電流ダイオードは、この素子のみで付加部品は要らないため、部品点数は極小となり、占有面積またコストの面で有利である。
フォトカプラの動作電流に対して、温度補償の大小に応じて、複数の定電流ダイオードを並列接続することができる。
【発明の効果】
【００１３】
本発明によれば、フォトカプラを用いた電流検出回路において、１次側回路の発光ダイオードと並列に、ある定格電流値でフォトカプラの動作電流の温度特性の勾配と逆の勾配の電流温度特性を持つ定電流素子または定電流回路、例えば定電流ダイオードを前記定格電流値で動作するように接続したことにより、フォトカプラの温度特性の勾配が、定電流素子または定電流回路の逆の温度勾配により相殺され、広い温度範囲に渡って検出電流変化の少ない電流検出回路を構成することができる。
これにより、高温や低温になりやすい場所においても安定した検出が可能な電流検出回路を、簡単な回路構成でありながら、広範囲に渡って温度特性を精度よく補償することができる。
【図面の簡単な説明】
【００１４】
【図１】本発明の実施の形態に係る電流検出回路を示す回路図である。
【図２】本発明の実施の形態に用いる定電流ダイオードの温度―ピンチオフ電流特性を示すグラフである。
【図３】本発明の実施の形態における温度補償後の周囲温度―動作電流特性を示すグラフである。
【図４】温度補償なしの電流検出回路と本発明による温度補償ありの実施形態における電流検出回路の作用を示す回路図である。
【図５】温度補償なしの電流検出回路の基本構成を示す回路図である。
【図６】図５の電流検出回路の周囲温度−動作電流特性を示すグラフである。
【発明を実施するための形態】
【００１５】
以下、本発明の実施の形態を、図面を参照しながら具体的に説明する。
本実施の形態に係る定電流回路は、図１に示すように、１次側回路にフォトカプラ１の発光ダイオード１ａを接続し、２次側回路にフォトカプラ１のフォトトランジスタ１ｂを接続したものであり、１次側回路には発光ダイオード１ａの動作値調整可変抵抗２と、逆流阻止ダイオードＤ１，Ｄ２が接続されている。そして、フォトカプラ１の発光ダイオード（以下「ＬＥＤ」と言う。）１ａに並列に、定電圧素子としての定電流ダイオード（Current Regulative Diode、以下「ＣＲＤ」と言う。）３が接続されている。
【００１６】
ＬＥＤに定電流を供給する回路としては、トランジスタやオペアンプを使用した定電流回路が用いられるが、構成が複雑で、設計も容易ではない。
【００１７】
ＣＲＤは、それ自体で（１個で）常に一定の電流を流すことのできる素子であり、ＬＥＤの駆動素子としての利用が図られている。しかし、ＣＲＤは通常は、ＬＥＤに直列に接続されて、ＬＥＤに流れる電流を一定に調整するものである。
【００１８】
本発明の実施の形態においては、ＬＥＤ１ａに流す電流を一定にするためにＣＲＤ３を用いるのではなく、フォトカプラ１の１次側ＬＥＤ１ａと並列に、温度に対し正の勾配定電流（ＬＥＤ１ａが負の勾配であるのとは逆）となる特性を持つＣＲＤ３を設けることにより温度補償を行い、温度変化に対するフォトカプラ１の回路動作特性の変化を小さくするようにした。
【００１９】
ＣＲＤ３はその定格の定電流値により、図２のように温度に対する勾配が異なる。概ね定格値が０．５ｍＡを境に、それより定格値が小さいものが正の温度勾配、大きいものが負の温度勾配である。したがって本実施の形態では０．５ｍＡより小さい定格値で温度勾配がフォトカプラ１の入力電流変化の補償に適した勾配のものを選ぶ必要がある。ここで実験の結果、ＣＲＤ３の定格電流値が小さいものほどフォトカプラ１の補償に適した電流変化特性を持つことが分かった。そのため容易に入手可能な最低の定格値として０．１ｍＡのＣＲＤ３の採用を考えたが、図６に示すように、周囲温度が５０℃から−２０℃でおよそ０．２ｍＡの電流増加があるフォトカプラ１の温度補償には電流値そのものが不足する。
【００２０】
そこで、本実施の形態では、図１の（  ）内に示すように、定格０．１ｍＡのＣＤＲを２本に増やした。すなわちＣＤＲ３の他に同温度特性のＣＤＲ４を並列に接続し、電流値を確保しつつ最適な電流変化特性を持つようにした。
【００２１】
これらにより図１に示した実施の形態の電流検出回路において、温度補償なしの状態の図５の回路に比べ、フォトカプラ１を用いた電流検出回路の動作特性が大幅に改善された。
【００２２】
実際の変化値を図３のグラフに示す。図６に比較し、温度に対する動作温度の変化量が少なくなっているのが分かる。図３において、具体的には＋２０℃のときの電流値１．００ｍＡに対し、−２０℃のとき０．９７ｍＡまでの変化に収まっている。
【００２３】
以上のように、このフォトカプラの温度補償回路を搭載した直流地絡検出器の温度特性を大幅に改善し、より広い温度範囲に渡って動作電流の変化を低減することが可能となった。
【００２４】
以上の実施の形態は、直流地絡検出器のフォトカプラ回路への適用例を示したが、例えばフォトカプラを使用したインターフェース装置において入力電流の温度依存性を減らし、動作電圧を広い温度に渡って安定化する応用なども考えられる。その例を図４に示す。図４中、５は電流調整抵抗、６は降圧抵抗である。
【００２５】
図４（ａ）では、温度補償を行わない場合、動作電圧は入力電流と降圧抵抗６の積にフォトカプラ１の順電圧ｅfを加えたものとなる。このため、フォトカプラ１の入力電流ＩLが温度により変化すると、動作電圧も変化する。
【００２６】
これに対し、図４（ｂ）のように、ＣＲＤ３，４をフォトカプラ１の１次側に並列に接続することにより、動作電圧は広い温度範囲に渡って一定となり、動作が安定する。
【００２７】
以上は、フォトカプラ１の温度勾配が負である場合について説明したが、もしフォトカプラの温度勾配が正であった場合も、並列に接続するＣＲＤを負の温度勾配のものとすれば、同様に温度補償が可能である。
【産業上の利用可能性】
【００２８】
上述したように、本発明は、回路構成が簡単で、広範囲に渡って温度特性を精度よく補償することのできるフォトカプラを用いた電流検出回路として、屋外で使用される太陽光発電装置や電気自動車の電源装置における直流地絡検出器、あるいは電子機器のインターフェース装置等の分野において好適に利用することができる。
【符号の説明】
【００２９】
１  フォトカプラ
１ａ  発光ダイオード
１ｂ  フォトトランジスタ
２  動作値調整可変抵抗
３，４  定電流ダイオード（ＣＲＤ）
５  電流調整抵抗
６  降圧抵抗
Ｄ１，Ｄ２  逆流阻止ダイオード
【図１】
0005752586.tif 000002
【図２】
0005752586.tif 000003
【図３】
0005752586.tif 000004
【図４】
0005752586.tif 000005
【図５】
0005752586.tif 000006
【図６】
0005752586.tif 000007